(57)【要約】      （修正有）【課題】自分で作成した広告やメニューを簡単に何度でも差し替えが出来、屋内外に簡単に設置でき広告数の増減が可能であり、広告の方向は固定することも自由にすることもできる取替え可能複合式看板を提供する。【解決手段】分割した筒状のポールに、ポールと同じ長さで断面が開口部がやや狭いＵ字型の溝になっているレール状の広告入れ受け７を固定してある広告入れ受け付きポール３のポールの穴部に、ポールの内径より細いポール芯を通すことにより、それぞれの広告入れ受け付きポール３に自由な回転性を持たせる。【選択図】図１
0003161232.tif 000002
【実用新案登録請求の範囲】
【請求項１】
分割した筒状の広告入れ受け付きポール（３）それぞれに回転性を持たせた、取替え可能複合式看板。
【請求項２】
分割した筒状の広告入れ受け付きポール（３）それぞれに着脱式の透明で防水性のある広告入れ（６）を広告入れ受け（７）にセットできる請求項１記載の、取替え可能複合式看板。
【請求項３】
最上部のネジ付きキャップ（１）を締めこむことにより広告入れの方向を自由な角度で固定の出来る請求項１記載の、取替え可能複合式看板。
【請求項４】
広告入れ受け付きポール（３）と広告入れ（６）とポール芯（１０）がそれぞれ分割できる請求項１記載の、取替え可能複合式看板。
【請求項５】
既製のポール台にセットできる請求項１記載の、取替え可能複合式看板。
【考案の詳細な説明】
【技術分野】
【０００１】本考案は風雨に充分対応し、広告の差し替え、分解組み立てが簡単にでき収納、運搬が容易な取替え可能複合式看板に関するものである
【背景技術】
【０００２】従来、複合式広告物は建造物等に固定されたものが多く、広告の差し替えは容易ではなく、経費も伴うものでる。
また、単式広告物はのぼり、垂れ幕、旗、たて看板等であり内容を変更するためにはその都度作り変えなければならないので時間と経費もともなうものである。
【先行技術文献】
【０００３】
【特許文献１】  特許公開２００８−２７６０６８
【特許文献２】  特許公開２００７−２０６３１１
【特許文献２】  登録実用新案第３０９４５５９４号
【考案の概要】
【考案が解決しようとする課題】
【０００４】  これには次のような欠点があった。
１建造物等に固定するため設置やメンテナンスに経費がかかる
２看板の変更や取替えが容易ではなく経費がかかる
３めまぐるしく変化する情報をタイムリーに提供できない
４のぼり、垂れ幕、旗等は安価であるが変更に時間と経費がかかる。
５たて看板等は風に対応するためにガードレールや電柱に縛り付けなくてはならないが、取り付けるためには特別な許可が必要となる。
本考案はこれらの欠点を解決するためになされたものである。
【課題を解決するための手段】
【０００５】筒状の内部にネジを固定した、ネジ付きポール（５）にネジ継ぎ式ポール芯（１０）を接続し、これを芯に、それぞれ筒状の両端にポール受け（２）を接合してある長ポール（４）と広告入れ受け付きポール（３）を通す。最上部にネジ付きポールキャップ（１）を接続する。
着脱式で透明の防水性ある広告入れ（６）を広告入れ受け（７）にセットする。広告入れ受け付きポール（３）は自由に回転するがネジ付きポールキャップ（１）を締めることにより、広告入れ（６）の方向を自由に固定できる。
本考案は以上の構成からなる取替え可能複合式看板である。
【考案の効果】
【０００６】本考案は、パソコン又は手書きで作成した情報をタイムリーに簡単に差し替えが可能となり、例えば、食堂のメニューや展示品の紹介等に効果的に活用でき経費も節約できる。コンパクトで一般的なのぼりに使用されているポール台を利用することで何処にでも設置でき、広告の方向を自由に固定でき導線に沿って目立たせることができる。分割が可能であり狭い場所でも使用できる。また、コンパクトになり収納、移動が非常に簡単でありこれに関する経費を抑制できる。
【図面の簡単な説明】
【０００７】
【図１】本考案の全体図である。
【図２】本考案のポール芯の図である。
【図３】本考案の広告入れの図である。
【図４】本考案のポール部の縦断面図である。
【図５】本考案の広告入れうけ付きポールの水平断面図である。
【考案を実施するための形態】
【０００８】筒状の内部にネジを固定した、ネジ付きポール（５）にネジ継ぎ式ポール芯（１０）を接続し、これを芯に、それぞれ筒状の両端にポール受け（２）を接合してある長ポール（４）と広告入れ受け付きポール（３）を通す。最上部にネジ付きポールキャップ（１）を接続する。
着脱式で透明の防水性ある広告入れ（６）を広告入れ受け（７）にセットする。広告入れ受け付きポール（３）は自由に回転するがネジ付きポールキャップ（１）を締めることにより、広告入れ（６）の方向を自由に固定できる。
【実施例】
【０００９】図（１）に示されたように組み立てた看板を既製品のポール台にセットする。
広告入れ（６）の下部チャック（８）をスライドし、開閉部（９）を開け作成した広告を入れる。広告入れ（６）は広告入れうけ（７）の上方から取り付け、下方から取り外しができるので、必要な広告のみセットする。【００１０】屋外で使用する場合は、最上部のネジ付ポールキャップ（１）を完全に締めこまない状態にすることにより風に対して可動性を持たせることができる。【００１１】屋内で使用の場合は、最上部のネジ付ポールキャップ（１）を完全に締めこむことによって可動性を奪い、広告入れ（６）を自由な角度で固定することができる。
【産業上の利用可能性】
【００１２】店舗、展示会等あらゆる施設の出入り口等の導線に設置することによりタイムリーな情報提供ができる。また構造がシンプルだから生産性もよく、安価で提供できる。
【符号の説明】
【００１３】１  ネジ付きポールキャップ
２  ポール受け
３  広告入れ受け付きポール
４  長ポール
５  ネジ付きポール
６  広告入れ
７  広告入れ受け
８  チャック
９  開閉部
１０ポール芯
【図１】
0003161232.tif 000003
【図２】
0003161232.tif 000004
【図３】
0003161232.tif 000005
【図４】
0003161232.tif 000006
【図５】
0003161232.tif 000007
【手続補正書】
【提出日】平成22年4月2日(2010.4.2)
【手続補正１】
【補正対象書類名】実用新案登録請求の範囲
【補正対象項目名】全文
【補正方法】変更
【補正の内容】
【実用新案登録請求の範囲】
【請求項１】
分割した筒状のポールに、ポールと同じ長さで断面が開口部がやや狭いＵ字型の溝になっているレール状の広告入れ受け（７）を固定してある広告入れ受け付きポール（３）のポールの穴部に、ポールの内径より細いポール芯（１０）を通すことにより、それぞれの広告入れ受け付きポール（３）に自由な回転性を持たせた、取替え可能複合式看板。
【請求項２】
分割した筒状の広告入れ受け付きポール（３）に固定してある、ポールと同じ長さで断面が開口部がやや狭いＵ字型の溝になっているレール状の広告入れ受け（７）に、透明で防水性があり、一辺に、ポールと同じ長さで断面が開口部がやや狭いＵ字型の溝になっているレール状の広告入れ受け（７）の溝の内側の形状と同じレールが固定してある広告入れ（６）をスライドして着脱できる請求項１記載の、取替え可能複合式看板。
【請求項３】
それぞれの両端がネジの雄と雌になっていてつなげる事が出来るポール芯（１０）の両端のネジに合う雄と雌のネジが、分割できる筒状のポールの最上部のネジ付きポールキャップ（１）と最下部のネジ付きポール（５）の内部ににそれぞれ固定してあり、つなげたポール芯（１０）を各ポールに通し両端のネジ付きキャップ（１）とネジ付きポール（５）の両方からネジを締めこむことにより各ポールが締め付けられ自由な回転性がなくなり固定されることにより広告入れ受け付きポール（３）にセットされた、広告入れ（６）の方向を自由な角度で固定の出来る請求項１記載の、取替え可能複合式看板。
【請求項４】
広告入れ受け付きポール（３）と広告入れ（６）とポール芯（１０）がそれぞれ分割できる請求項１記載の、取替え可能複合式看板。
【請求項５】
ポールの直径と長さが、一般に販売されているのぼり用のポール台何れにもセットできるサイズの、請求項１記載の、取替え可能複合式看板。